(57)【要約】【課題】シングルリード管楽器から生成される旋律を強化する装置が提供される。【解決手段】装置は、複数の細長いリブ又は溝、又はリードのテーブル側に取り付けられる一以上の鋲状部材の形式の一以上の音強化要素を備える。細長いリブ／溝のパターンは、リードに対して縦方向、横方向又は斜め方向を向いた直線又は波線であってよい。各鋲状部材は、演奏者が演奏した際にシングルリード管楽器から生成される音を変える三次元（３Ｄ）幾何学的形状部と、リードのテーブル側であってリードのハートの正反対側の領域内に鋲状部材を取り付けるための３Ｄ幾何学的形状部のベース部と、を含む。前記領域の大きさは、シングルリード管楽器に依存する。【選択図】図２
2017040912.tif 000002
【特許請求の範囲】
【請求項１】
シングルリード管楽器から生成される音を強化する装置であって、
リードのテーブル側であって、前記リードのハートの正反対側の領域内に設けられた一以上の音強化要素であって、演奏者が演奏する際の前記リードの振動挙動を変える音強化要素を備え、前記領域の大きさはシングルリード管楽器に依存し、前記大きさは前記リードのティップから計測した近接距離Ｄ1と遠隔距離Ｄ2とによって定義され、前記領域の幅は最小幅Ｗminと最大幅Ｗmaxとの間であって、前記一以上の音強化要素はそれぞれ、シングルリード管楽器に依存した、最小高さＨmin及び最大高さＨmaxの間の高さを有する、
装置。
【請求項２】
前記シングルリード管楽器はＥｂ即ちＥフラットクラリネットであって、前記近接距離Ｄ1、前記遠隔距離Ｄ2、前記最小幅Ｗmin、前記最大幅Ｗmax、前記最小高さＨmin、及び前記最大高さＨmaxは、それぞれ５ｍｍ、２０ｍｍ、０．５ｍｍ、５ｍｍ、１ｍｍ、及び４ｍｍである、
請求項１に記載の装置。
【請求項３】
前記シングルリード管楽器はＢｂ即ちＢフラットクラリネット又はAクラリネットであって、前記近接距離Ｄ1、前記遠隔距離Ｄ2、前記最小幅Ｗmin、前記最大幅Ｗmax、前記最小高さＨmin、及び前記最大高さＨmaxは、それぞれ１３ｍｍ、３２ｍｍ、０．５ｍｍ、１０ｍｍ、１ｍｍ、及び４ｍｍである、
請求項１に記載の装置。
【請求項４】
前記シングルリード管楽器はバスクラリネットであって、前記近接距離Ｄ1、前記遠隔距離Ｄ2、前記最小幅Ｗmin、前記最大幅Ｗmax、前記最小高さＨmin、及び前記最大高さＨmaxは、それぞれ１６ｍｍ、４４ｍｍ、０．５ｍｍ、１４ｍｍ、１ｍｍ、及び６ｍｍである、
請求項１に記載の装置。
【請求項５】
前記シングルリード管楽器はアルトクラリネットであって、前記近接距離Ｄ1、前記遠隔距離Ｄ2、前記最小幅Ｗmin、前記最大幅Ｗmax、前記最小高さＨmin、及び前記最大高さＨmaxは、それぞれ１４ｍｍ、３５ｍｍ、０．５ｍｍ、１２ｍｍ、１ｍｍ、及び５ｍｍである、
請求項１に記載の装置。
【請求項６】
前記シングルリード管楽器はソプラノサクソフォーンであって、前記近接距離Ｄ1、前記遠隔距離Ｄ2、前記最小幅Ｗmin、前記最大幅Ｗmax、前記最小高さＨmin、及び前記最大高さＨmaxは、それぞれ１１ｍｍ、２７ｍｍ、０．５ｍｍ、１１ｍｍ、１ｍｍ、及び５ｍｍである、
請求項１に記載の装置。
【請求項７】
前記シングルリード管楽器はアルトサクソフォーンであって、前記近接距離Ｄ1、前記遠隔距離Ｄ2、前記最小幅Ｗmin、前記最大幅Ｗmax、前記最小高さＨmin、及び前記最大高さＨmaxは、それぞれ１４ｍｍ、３５ｍｍ、０．５ｍｍ、１３ｍｍ、１ｍｍ、及び５ｍｍである、
請求項１に記載の装置。
【請求項８】
前記シングルリード管楽器はテナーサクソフォーンであって、前記近接距離Ｄ1、前記遠隔距離Ｄ2、前記最小幅Ｗmin、前記最大幅Ｗmax、前記最小高さＨmin、及び前記最大高さＨmaxは、それぞれ１６ｍｍ、４４ｍｍ、０．５ｍｍ、１４ｍｍ、１ｍｍ、及び６ｍｍである、
請求項１に記載の装置。
【請求項９】
前記シングルリード管楽器はバリトンサクソフォーンであって、前記近接距離Ｄ1、前記遠隔距離Ｄ2、前記最小幅Ｗmin、前記最大幅Ｗmax、前記最小高さＨmin、及び前記最大高さＨmaxは、それぞれ１７ｍｍ、４５ｍｍ、０．５ｍｍ、１６ｍｍ、１ｍｍ、及び８ｍｍである、
請求項１に記載の装置。
【請求項１０】
前記シングルリード管楽器に依存する前記領域は、前記リードの中心線に対して横方向に対称である、
請求項１に記載の装置。
【請求項１１】
前記一以上の音強化要素は、一以上の鋲状部材を含む、
請求項１に記載の装置。
【請求項１２】
各前記鋲状部材は、演奏者によって吹き込まれた気流を変える三次元（３Ｄ）幾何学的形状部と、前記リードのテーブル側に取り付けられる前記３Ｄ幾何学的形状部のベース部とを含む、
請求項１１に記載の装置。
【請求項１３】
各前記鋲状部材は、取り付け手段により前記ベース部において前記リードに取り付けられる、
請求項１２に記載の装置。
【請求項１４】
各前記鋲状部材は、前記リードとは別に製造される、
請求項１２に記載の装置。
【請求項１５】
各前記鋲状部材が前記リードと一体的に製造される、
請求項１２に記載の装置。
【請求項１６】
前記最小幅Ｗmin及び前記最大幅Ｗmaxは、各前記鋲状部材についての制限値である、
請求項１２に記載の装置。
【請求項１７】
前記最小幅Ｗmin及び前記最大幅Ｗmaxは、前記一以上の鋲状部材をまとめてグループとしたものについての制限値である、
請求項１２に記載の装置。
【請求項１８】
前記一以上の音強化要素は、複数の細長いリブを含む、
請求項１に記載の装置。
【請求項１９】
前記一以上の音強化要素は、複数の細長い溝を含む、
請求項１に記載の装置。
【請求項２０】
前記リードは、前記リードのティップに向かって先細になっているヴァンプ部まで延びるストック部を備え、前記ストック部と前記ヴァンプ部とはショルダーによって区切られ、前記ストック部は曲面を有し、前記ヴァンプ部は、前記ショルダーの近傍にわずかに隆起した領域を前記リードのハートとして備え、前記リードのテーブル側は、前記一以上の音強化要素が配置される平面を有する、
請求項１に記載の装置。
【発明の詳細な説明】
【技術分野】
【０００１】
本発明は、楽器付属品に関し、特にシングルリード管楽器（例えば、サクソフォーンやクラリネット）を演奏者が演奏した際に生成される音を強化する装置に関する。
【背景技術】
【０００２】
リード管楽器は、ある種の共振装置（通常は管）を備えており、共振装置の端部に設けられたマウスピース内（又はマウスピース上）に演奏者が息を吹き込むことによって空気の柱が振動し始める。振動のピッチは、管の長さや振動する空気の柱の有効長を手動で修正することによって決定される。リード吹き込み（ｒｅｅｄ−ｂｌｏｗｎ）管楽器では、マウスピース内に空気を吹きこんでリードを振動させることによって音が発生する。リードは、天然のケーン（ｃａｎｅ）や天然のケーンに匹敵する強度特性を有する合成材料で作られた薄片である。シングルリード楽器には、様々な種類のサクソフォーン（ソプラノ、アルト、テナー、バリトン）やクラリネット（Ｂｂ即ちＢフラット、Ｅｂ即ちＥフラット、Ａ、バス、アルト）が含まれる。天然のケーン又は合成材料のいずれかを用いた従来のリードによって発生する音質は、時に十分でないことがあった。
【発明の概要】
【発明が解決しようとする課題】
【０００３】
したがって、シングルリード管楽器を演奏する際に生成される旋律を強化可能な装置を有することが望まれる。
【課題を解決するための手段】
【０００４】
このセクションは、本発明の幾つかの態様について要約することを目的とし、幾つかの好ましい実施形態が簡単に紹介される。本セクションの目的が不明瞭にならないよう、本セクション並びに要約書及び発明の名称において簡略化や省略が行われる場合がある。このような簡略化や省略は、本発明の範囲を限定するものではない。
【０００５】
本願発明者は、本発明の一実施形態に係る一以上の音強化要素を備えて構成されたリードによって生成される音（サウンド）／旋律（チューン）は、リードを用いずに生成された音／旋律とは大きく異なることを見出した。
【０００６】
シングルリード管楽器から生成される旋律を強化する装置が開示される。一例としての実施形態によれば、リードのテーブル側に一以上の音強化要素が設けられたリードであって、演奏者が演奏した際にリードの振動が異なるように構成される。一以上の音強化要素は、複数の細長いリブ又は溝、又はリードのテーブル側に取り付けられた一以上の鋲状部材の形式である。細長い溝及びリブは、様々なパターンで配置又は方向づけられ、直線形状、波線形状、幾何学形状等とすることができる。
【０００７】
音を強化する細長い溝又はリブを備えたリードは、合成材料製であり、プラスチック成形で一体的に製造されてもよい。あるいは、音を強化する細長い溝又はリブを備えたリードは、天然のケーン製であり、コンピュータ制御機械を用いて一体的に製造されてもよい。音を強化するリブは、鋲状部材のように追加の付属品としてリードとは別に製造されてもよい。
【０００８】
他の実施形態によれば、音強化要素は、リードのテーブル側に取り付けられた一以上の鋲状部材を含む。各鋲状部材は、演奏者によって吹き込まれた気流を変える三次元（３Ｄ）幾何学的形状部と、鋲状部材をリードのテーブル側であってリードのハートの正反対側の領域内に取り付けるための３Ｄ幾何学的形状部のベース部とを有する。この領域の大きさは、シングルリード管楽器に依存する。
【０００９】
鋲状部材は、プラスチック成形で合成リードと一体的に製造されてもよい。また、鋲状部材は、付属品として別途作成され、取り付け手段（例えば、接着剤、のり、プッシュピン等）でリードに取り付けられてもよい。一以上の鋲状部材は、リードに単独で取り付けられてもよく、又は、同じ種類又は種類を混ぜて、任意に組み合わせて取り付けられてもよい。複数の鋲状部材が、グループとして、反対側に取り付け手段を有するシート（例えば剥離式の接着シート）上に予め配置されていてもよい。
【００１０】
本発明の目的、特徴及び効果は、添付の図面と共に、その実施形態についての以下の詳細な説明を検討することにより明らかになるであろう。
【図面の簡単な説明】
【００１１】
本発明のこのような特徴、態様及び効果は、以下の説明、添付の特許請求の範囲及び以下の図面によりよく理解されるであろう。
【図１Ａ】本発明の一実施形態に係るリードの一例を描画した斜視図である。
【図１Ｂ】本発明の一実施形態に係る図１Ａのリードの一例のテーブル側を描画した斜視図である。
【図１Ｃ】本発明の一実施形態に係る一例としての細長いリブ／溝が構成されたリードのテーブル側を描画した斜視図である。
【図１Ｄ】本発明の一実施形態に係る一例としての鋲状部材が配置されたリードのテーブル側を描画した斜視図である。
【図２】本発明の一実施形態に係るリードのテーブル側の一例の平面図である。
【図３】本発明の一実施形態に係るリードの一例の立面図である。
【図４】本発明の一実施形態に係る、様々なパターンの音強化要素（即ち、細長いリブ又は溝）を示す、リードの一例のテーブル／底側の平面図である。
【図５】本発明の一実施形態に係る、リブ／溝の様々な幾何学的断面の例を示す図である。
【図６】本発明の様々な実施形態に係る、リブ／溝の幾つかの立面図である。
【図７】本発明の一実施形態に係る、リブ／溝の間隔の例を描画した図である。
【図８】本発明の一実施形態に係る、音強化要素（即ち、鋲状部材）の３Ｄ幾何学的形状の様々な例を示す図である。
【図９】本発明の一実施形態に係る、音強化要素（即ち、鋲状部材）の様々なベース部形状の例を示す図である。
【図１０】本発明の一実施形態に係る、先のとがったノーズ部を有する音強化要素（即ち、鋲状部材）の例を示す図である。
【図１１】本発明の一実施形態に係る、様々な配置の一以上の音強化要素を有するリードの底／テーブル側の平面図である。
【図１２】本発明の一実施形態に係る、音強化要素の例について、大きさの定義を示す図である。
【図１３】本発明の一実施形態に係る、様々なシングルリード管楽器用のリードのテーブル側の様々な大きさの音強化要素と様々な大きさの有効領域とをまとめた表である。
【発明を実施するための形態】
【００１２】
以下の説明において、本発明を十分に理解するために多くの具体的な詳細事項が述べられる。しかしながら、このような具体的な詳細事項がなくとも本発明を実施可能であることは、当業者には自明であろう。以下の説明及び表現は、当業者並びに熟練者が仕事の内容を他の当業者に最も効率よく伝える際に用いる一般的な手段である。
【００１３】
「一実施形態」又は「或る実施形態」といった言及は、その実施形態と関連して記載された特定の特徴、構造又は特性が本発明の少なくとも一つの実施形態に含まれる可能性があることを意味する。明細書中の様々な箇所で「一実施形態において」という表現が出てくるが、これら全てが同一の実施形態に必ずしも言及しているわけではなく、他の実施形態とは互いに排他的である別々の又は代替的な実施形態のそれぞれに言及しているわけでもない。以下で使用する、「上」、「底」、「前」、「後」、「縦」、「横」、「垂直」、「水平」、「斜め」という用語は、説明のための相対的な位置を示すためのものであり、絶対座標系を指定するためのものではない。
【００１４】
本発明の実施形態について、図１Ａ〜図１３を参照しながら以下に説明する。しかしながら、これらの図面を参照して以下に示す詳細な記載が説明目的のためのものであって、本発明はこれら限定された実施形態には収まらないことは当業者には容易に理解されるであろう。
【００１５】
まず図１Ａを参照すると、本発明の一実施形態に係る、シングルリード管楽器（例えば、サクソフォーン、クラリネット）用のリード１００の一例の上部側の正面斜視図が示される。リード１００は、天然のケーン又は合成材料のいずれかで作られる。リード１００は、特定の管楽器のマウスピースの形状と一致しているティップ１０５に向かって先細に（テーパーに）なっている前方部すなわちヴァンプ部１０４まで延びる、曲面上面後部すなわちストック部１０２を有する。ヴァンプ部１０４とストック部１０２との境界は、リード１００のショルダー１０３と呼ばれる。ヴァンプ部１０４の、ショルダー１０３近傍に配置されるわずかに厚い隆起した領域（即ち、上面のこぶ）は、リード１００のハート１０６と呼ばれる。
【００１６】
リード１００の三次元の空間的な寸法を表す三つの固有の方向を示すために、デカルト座標系１１０が示されている。垂直方向（図示における上下）に関するＶと、縦方向（図示における前後）に関するＬと、横方向（図示における左右）に関するＴとを備える。リード１００は、テーブル側１０８が、様々な音／旋律を発生させるために管楽器の演奏者がティップ１０５から後ろ即ちストック部１０２へと空気を吹き込む側となるように、マウスピース内に配置される。
【００１７】
図１Ｂは、一例であるリード１００の底部側の正面斜視図である。テーブル側即ち底部側１０８の平面上であって、ハート１０６の正反対側にある矩形の領域１２０は、本発明の一実施形態に係る一以上の音強化要素を設ける場所である。この領域の大きさは、シングルリード管楽器に依存する。一以上の音強化要素は、複数の細長いリブ又は溝、又はリードのテーブル側に取り付けられた一以上の鋲状部材の形式である。
【００１８】
図１Ｃは、複数の例示的な細長いリブ／溝１２２が設けられたテーブル側の斜視図である。図１Ｄは、例示的な鋲状部材１２４が設けられたテーブル側の斜視図である。
【００１９】
図２は、本発明の一実施形態に係る、例示的なリードのテーブル側の平面図である。幅Ｗ２１６、リードのティップ２１０から測定される近接距離Ｄ1  ２１２、リードのティップ２１０から測定される遠隔距離Ｄ2  ２１４で規定される有効領域２２０（即ち、図１Ｂの領域１２０）内に一以上の音強化要素が位置する。領域２１２は、リードの中心線ＣＬ２３０上に位置する。領域２２０の大きさは、図１３に示すように、シングルリード管楽器に依存する。シングルリード管楽器としては、Ｂｂ即ちＢフラットクラリネット、Ｅｂ即ちＥフラットクラリネット、Ａクラリネット、バスクラリネット、アルトクラリネット、ソプラノサクソフォーン、アルトサクソフォーン、テナーサクソフォーン、及びバリトンサクソフォーンが挙げられる。
【００２０】
図３Ａは、例示的な溝３０２を有するリードを示す立面図であって、図３Ｂは、例示的なリブ３０４を有するリードを示す立面図である。図３Ｃは、例示的な鋲状部材３０６が設けられたリードを示す立面図である。
【００２１】
図４Ａから４Ｅは、様々なパターンの細長いリブ／溝４２１〜４２５が設けられた例示的なリードの底部側を示す平面図である。最初の図面は、リードの縦方向の複数の略平行な直線状のリブ／溝４２１を示す図である。第二及び第三の図面は、それぞれリードの斜め方向（即ち、縦方向に対して斜めの方向）の複数の略平行な直線状のリブ／溝４２２〜４２３を示す図である。第四の図面は、リードの縦方向に沿った複数の略平行な波線状のリブ／溝４２４を示す図であって、第五の図面は、リードの横方向に沿った複数の略平行な波線状のリブ／溝４２５を示す図である。
【００２２】
図４Ａから４Ｅに示した細長いリブ／溝４２１〜４２５のパターンは、略平行であるが、本発明は平行なパターン又は向きに限定されない。更に、細長いリブ／溝４２１〜４２５は、それらの間の間隔が同一でなくてもよい。他の実施形態において、細長いリブ／溝のパターンは、天然のケーン材の木目を模して構成される。
【００２３】
図５は、リブ／溝（例えば、図４Ａから４Ｅのリブ／溝４２１〜４２５の一つ）の様々な例示的な断面図５０１〜５０３である。第一の断面図５０１は、半円又は半楕円に凹んだ断面を示す図であり、第二の断面図５０２は、三角形に凹んだ断面を示す図であり、第三の断面図５０３は、矩形又は正方形に凹んだ断面を示す図である。断面図５１１〜５１３はそれぞれ、断面図５０１〜５０３の逆に隆起した断面を示す図である。
【００２４】
図６には、リブ／溝の二つの立面図を示している。第一の図６０１は、リブ／溝６１０の半円状に凹んだ断面を示す図である。第二の図６０２は、様々な種類のリブや溝６２０を備えた隆起した／凹んだものが混じった断面を示す図である。当業者であれば、図６に類似の態様で他の種類のリブ／溝の断面も示せることが分かるであろう。
【００２５】
図７は、リブ／溝の例示的な間隔７５０ａ〜ｂを示す図である。一実施形態によれば、間隔７５０ａ〜ｂは、０．５ｍｍと５ｍｍとの間である。
【００２６】
一実施形態において、音を強化する細長い溝又はリブを備えたリードは、合成材料製であり、プラスチック成形で一体的に製造してもよい。他の実施形態において、音を強化する細長い溝又はリブを備えたリードは、天然のケーンからなり、コンピュータ制御機械を用いて一体的に製造してもよい。
【００２７】
一実施形態によれば、一以上の音強化要素は、リードのテーブル／底部側に取り付けられた一以上の鋲状部材の形式である。各鋲状部材は、演奏者が吹き込まれた気流を変える三次元（３Ｄ）幾何学形状部と、鋲状部材をリードのテーブル側に取り付けるためのベース部とを備える。
【００２８】
図８は、様々な例示的な３Ｄ幾何学形状を示す図であって、限定するものではないが、ピラミッド形状（三角形を基部とするピラミッド形状８０２、四角形を基部とするピラミッド形状８０４）、円錐形状８０６、及びドーム形状８０８が挙げられる。（図示しない）その他の３Ｄ幾何学形状としては、球形や楕円体の一部、二つの部分的な楕円体（例えば、涙型又は楕円形の一部）を組み合わせたものが挙げられる。３Ｄ幾何学形状の端部や角部には、丸みをつけてもよい。本発明は制限を課さない。鋲状部材の３Ｄ幾何学形状には任意の３Ｄ幾何学形状を用いてよい。
【００２９】
図９に示すように、本発明の一実施形態によれば、ベース部に使用可能な多くの様々な例示的な形状がある。ベース部には任意の多角形（例えば、三角形９０２、四角形９０４、五角形９０６、六角形９０８等）を使用可能である。ベース部の形状は、円９１２、楕円９１４、涙型９１６、鋭く尖った点を持つ円９２２、角部が丸みを帯びた矩形９２４、尖った箇所が５か所ある星型９３２、尖った箇所が７か所ある星形９３４等であってよい。ここでも、本発明はベース部の形状に制限を課さない。
【００３０】
他の実施形態において、鋲状部材は、気流と反対方向を指すよう設計された先の尖った鼻部を備えてもよい。尖った鼻部１００２を有する例示的な鋲状部材を図１０に示す。ベース部形状１００４と正面／背面図１００６も示す。
【００３１】
更に他の実施形態において、複数の鋲状部材を様々なパターンで配置してもよい。
【００３２】
図１１Ａから１１Ｅは、様々なパターンの鋲状部材１１１１〜１１１５が設けられた例示的なリードの底部／テーブル側の様子を示す様々な平面図である。
【００３３】
例示的な鋲状部材として、図１１Ａのリードの底部／テーブル側に設けられた丸い又は円形の鋲状部材１１１１を示す。円形の鋲状部材１１１１は、気流を変更可能な一部ドーム型又はその他の同等の３Ｄ幾何学形状であってよい。図１１Ｂは、演奏者が吹き込む気流の方向に列をなして配置された二つの鋲状部材を示す図である。
【００３４】
他の実施形態において、図１１Ｃでは、混合型の鋲状部材１１１３（即ち、二つの円形ベース部と一つの楕円形ベース部）がリードの底部／テーブル側に設けられる。当業者であれば、その他の数又はその他のパターンの同一の又は異なる鋲状部材によって、同様に達成可能であることが分かるであろう。
【００３５】
図１１Ｄは、リードのティップを指す尖った鼻部を有する鋲状部材１１１４を示す図である。図１１Ａから１１Ｃに示す鋲状部材と同様に、その他の数又はその他のパターンを用いて同様に達成可能である。例えば、図１１Ｅは、これらの鋲状部材１１１５三つを含む構成を示す図である。
【００３６】
更に、鋲状部材は、プラスチック成形で合成リードと一体的に製造されてもよい。鋲状部材は、天然のケーンからなり、コンピュータ制御機械を用いて一体的に製造してもよい。鋲状部材は、付属品として別途作成され、取り付け手段（例えば、接着剤、のり、プッシュピン等）でリードに取り付けられてもよい。一以上の鋲状部材は、リードに単独で取り付けられてもよく、又は同じ種類又は混ぜた種類を任意に組み合わせて取り付けられてもよい。複数の鋲状部材は、グループとして、反対側に取り付け手段を有するシート（例えば剥離式の接着シート）上に予め配置されていてもよい。
【００３７】
図１２Ａは、上述の図面で示した鋲状部材のいずれかになり得る、例示的な鋲状部材の半円状断面１２００を示す図である。各鋲状部材は、幅１２１０、高さ１２２０で規定される。当業者であれば、これらの寸法制限が他の形状の鋲状部材にも当てはまることが分かるであろう。図１２Ｂは、例示的な鋲状部材のグループの対の三角形断面１２０２を示す図である。この鋲状部材のグループは、幅１２４０、高さ１２３０で規定される。音強化のために、幅及び高さは、図１３に規定された最小値及び最大値に限定される。
【００３８】
図１３は、本発明の一実施形態に係る、様々なシングルリード管楽器用のリードのテーブル側の様々な大きさの音強化要素と様々な大きさの有効領域（即ち、図２の有効領域２２０）をまとめた表である。この表に挙げた全ての寸法は、ミリメートル（ｍｍ）である。Ｈmin及びＨmaxは、音強化要素（即ち、鋲状部材、リブ、又は溝）の最小及び最大の高さをそれぞれ表す。Ｗmin及びＷmaxは、単独での音強化要素の、又は、複数の音強化要素がある場合にはグループ全体での、最小及び最大の幅をそれぞれ表す。Ｄ1  ２１２及びＤ2  ２１４は、それぞれリードのティップからの近接距離と遠隔距離として図２に定義される。
【００３９】
本発明について特定の実施形態を参照して説明してきたが、これらの実施形態は例示に過ぎず、本発明を限定するものではない。具体的に開示した例示的な実施形態への様々な修正又は変更が当業者に示唆されるであろう。例えば、幾つかのパターンのリブ／溝が示され説明されてきたが、その他のパターンを用いて同様に実現されてもよく、例えば破線パターンであってもよい。更に、（断面図で）様々な形状のリブ／溝が示され説明されてきたが、その他の形状を用いて同様に実現されてもよく、例えば六角形であってもよい。更に、様々な鋲状部材の３Ｄ幾何学的形状が示され説明されてきたが、その他の３Ｄ幾何学的形状を使用して同様に実現（即ち、生成するメロディーが強化）されてもよい。更に、様々なパターン及び数の音強化要素が示され説明されてきたが、その他のパターン及び数を用いて同様に実現されてもよく、本発明は、リード上に設けられる音強化要素の数、形状、及びパターンに制限を課さない。まとめると、本発明の範囲は、明細書に開示した具体的な例示的実施形態に限定すべきではなく、当業者には容易に示唆される全ての修正は、本出願の精神及び趣旨及び添付の請求項の範囲に含めるべきである。
【図１Ａ】
2017040912.tif 000003
【図１Ｂ】
2017040912.tif 000004
【図１Ｃ】
2017040912.tif 000005
【図１Ｄ】
2017040912.tif 000006
【図２】
2017040912.tif 000007
【図３】
2017040912.tif 000008
【図４】
2017040912.tif 000009
【図５】
2017040912.tif 000010
【図６】
2017040912.tif 000011
【図７】
2017040912.tif 000012
【図８】
2017040912.tif 000013
【図９】
2017040912.tif 000014
【図１０】
2017040912.tif 000015
【図１１】
2017040912.tif 000016
【図１２】
2017040912.tif 000017
【図１３】
2017040912.tif 000018